(57)【要約】【課題】ファイバヘッドの取り付け性およびメンテナンス性を向上させることを目的とする。【解決手段】ファイバヘッド２を構成するヘッド５と光ファイバ３とを分離可能とし、ファイバヘッド２を、取り付け金具１２に取り付ける際には、光ファイバ３が邪魔にならないように、光ファイバ３を、ヘッド５から分離した状態で、ヘッド５のみを電動工具等によって取り付け金具１２に取り付け、ロックレバー９を、ロック解除位置に操作した状態で、光ファイバ３を、ヘッド５の貫通孔に挿入し、ロックレバー９をロック位置に操作して、光ファイバ３をヘッド５に固定している。【選択図】図７
2009129612.tif 000002
【特許請求の範囲】
【請求項１】
ファイバヘッドを介して検出領域に光を投光し、その透過光または反射光を受光する光ファイバ式光電センサに用いるヘッドであって、
軸部と、該軸部に連設された頭部とを有し、前記軸部および前記頭部に亘ってその内部に貫通孔が形成され、光ファイバの一端が、前記貫通孔に挿入されて着脱可能に取り付けられることを特徴とする光ファイバ式光電センサ用ヘッド。
【請求項２】
前記軸部は、外周面に雄ネジが刻設され、
前記頭部は、締付け工具に係合する係合部を有する請求項１に記載の光ファイバ式光電センサ用ヘッド。
【請求項３】
前記頭部には、ロックレバーと、該ロックレバーの操作に応じて、前記貫通孔に挿入された前記光ファイバの前記一端を、固定あるいは解除するクランプ部材とを設けた請求項１または２に記載の光ファイバ式光電センサ用ヘッド。
【請求項４】
前記頭部の前記貫通孔は、前記軸部の前記貫通孔よりも大径に形成されるとともに、前記軸部に向かって縮径するテーパ部を有し、前記頭部の前記大径の内周面には、雌ネジが刻設され、
前記雌ネジに螺合されるとともに、螺合された状態で、前記貫通孔に連通して前記光ファイバの一端が挿入可能な挿入孔を有するロックネジを備え、
前記ロックネジは、前記頭部への螺入に応じて、その先端が、前記テーパ面に当接して、挿入された前記光ファイバの前記一端を押圧固定する請求項１または２に記載の光ファイバ式光電センサ用ヘッド。
【請求項５】
前記頭部の前記貫通孔は、前記軸部の前記貫通孔よりも大径に形成され、前記大径の貫通孔には、挿入された前記光ファイバの一端に係止する係止部材が設けられるとともに、前記係止部材による係止を解除するリリースブッシュが設けられる請求項１または２に記載の光ファイバ式光電センサ用ヘッド。
【発明の詳細な説明】
【技術分野】
【０００１】
本発明は、光をファイバで伝送する光ファイバ式光電センサに用いるヘッドに関する。
【背景技術】
【０００２】
光電センサには、検出ヘッドの小型化および取り扱いの容易性から光ファイバ式光電センサが使用される場合が多い（例えば、特許文献１参照）。
【０００３】
かかる光ファイバ式光電センサの検出ヘッドであるファイバヘッド６２には、例えば、図２７に示されるように、外周面に雄ネジが刻設されたヘッド６０の貫通孔に、光ファイバ６１の検出側の一端を挿入して接着剤などを用いて一体的に固定して構成したものがある。
【特許文献１】特開２００２−２７９８７１号公報
【発明の開示】
【発明が解決しようとする課題】
【０００４】
かかる従来のファイバヘッド６２は、例えば、図２８に示すようにして設置される。すなわち、図２８（ａ）に示すように、取付孔６３を有する取り付け金具６４を、設置箇所に取り付け、図２８（ｂ）に示すように、ファイバヘッド６２にナット６５および座金を取り付け、図２８（ｃ）に示すように、取り付け金具６４の取付孔６３に挿入し、図２８（ｄ）に示すように、検出領域側からナット６６で締め付けて固定する。光ファイバ６１は、図２８（ｅ）に示すように、設備に沿って這わせて固定し、適当な長さになるように曲げておくか、あるいは、カットし、投受光素子および投受光回路等を内蔵した光電センサのアンプユニット６７に接続する。
【０００５】
従来のファイバヘッド６２は、上述のように、光ファイバ６１とヘッド６０とが分離できない一体型であるために、取り付け時に、光ファイバ６１が邪魔になるという課題がある。
【０００６】
また、例えば、ねじタップを切った取付孔に、図２９に示すように、ナット型のファイバヘッド６８を取り付ける場合には、ナット型のヘッド６９と一体の光ファイバ６１も含めて全体を回転させる必要があり、取り付け作業が面倒である。
【０００７】
また、上述の図２８に示すように、取り付け金具６４を挟んで、その両側にナット６５，６６を設ける必要があるために、取り付け金具６４の検出領域側に、手を入れてナット６６を締め付けることができないような場合には、ファイバヘッド６２を取り付けるのが困難である。
【０００８】
更に、光ファイバ６１は、折れたり、劣化して光量が低下した場合には、交換する必要があるが、従来のファイバヘッド６２，６８は、光ファイバ６１とヘッド６０，６９とが一体であるので、ファイバヘッド６２，６８全体をそっくり交換する必要がある。また、ファイバヘッド６２，６８は、設置箇所に応じた長さに光ファイバ６１をカットしてアンプユニット６７に接続するので、その後、ファイバヘッド６２，６８の設置位置を変更したいような場合にも、ファイバヘッド６２，６８を全部そっくり交換する必要がある。
【０００９】
また、ファイバヘッド６２，６８を発注する場合には、例えば、図３０に示すように、光ファイバ６１の長さおよび本数を指定する必要があり、更に、光ファイバ６１の長さが異なるファイバヘッドの在庫が必要となり、在庫が増えるという課題がある。
【００１０】
また、上述のように、設置箇所に応じて適当な長さになるように、光ファイバを曲げておくか、あるいは、カットするので、余った部分の光ファイバが無駄になってしまう。
【００１１】
本発明は、上述のような点に鑑みてなされたものであって、ファイバヘッドの取り付け性およびメンテナンス性を向上させることを主たる目的とする。
【課題を解決するための手段】
【００１２】
（１）本発明の光ファイバ式光電センサ用ヘッドは、ファイバヘッドを介して検出領域に光を投光し、その透過光または反射光を受光する光ファイバ式光電センサに用いるヘッドであって、軸部と、該軸部に連設された頭部とを有し、前記軸部および前記頭部に亘ってその内部に貫通孔が形成され、光ファイバの一端が、前記貫通孔に挿入されて着脱可能に取り付けられる。
【００１３】
本発明に係る光ファイバ式光電センサ用ヘッドは、透過型および反射型のいずれの光電センサにも使用することができる。
【００１４】
本発明の光ファイバ式光電センサ用ヘッドによれば、光ファイバの一端が、着脱可能に取付けられるので、当該光ファイバ式光電センサ用ヘッドと光ファイバとを分離することができる。
【００１５】
したがって、取り付け金具などにファイバヘッドを取り付ける場合には、光ファイバを分離した状態で、当該光ファイバ式光電センサ用ヘッドのみを、取り付け金具などに取り付け、その後、光ファイバの一端を、当該光ファイバ式光電センサ用ヘッドの貫通孔に挿入して取り付けることが可能となり、光ファイバとヘッドとが一体の従来のファイバヘッドのように、取り付け金具などへの取り付けの際に、光ファイバが邪魔になることがなく、取付け作業が容易となる。
【００１６】
また、当該光ファイバ式光電センサ用ヘッドと光ファイバとを分離することができるので、光ファイバが折れたり、劣化して交換するような場合には、光ファイバのみを交換すればよく、光ファイバとヘッドとが一体の従来のファイバヘッドのように、ヘッドを含めて交換する必要がなく、作業が簡単になるとともに、コストを低減することができる。
【００１７】
更に、光ファイバとヘッドとが一体の従来のファイバヘッドでは、その発注の際には、各ファイバヘッドの長さや本数を指定する必要があり、光ファイバの長さが異なるファイバヘッドの在庫管理が必要であったのに対して、本発明では、当該光ファイバ式光電センサ用ヘッドと光ファイバとを分離できるので、必要な光ファイバ式光電センサ用のヘッドの数と、長尺の光ファイバロールとを発注すればよく、在庫を減らすことができるとともに、発注作業や在庫管理が容易となって、コストの低減を図ることができる。
【００１８】
また、従来のファイバヘッドでは、設置箇所に応じて適当な長さになるように、光ファイバを曲げておくか、あるいは、カットするので、余った部分の光ファイバが無駄になっていたのに対して、本発明では、余った部分の光ファイバをカットして、他の光ファイバ式光電センサ用ヘッドに取り付けて使用するといったことも可能となる。
【００１９】
更に、当該光ファイバ式光電センサ用ヘッドは、外周面に雄ネジが刻設された軸部に連設する頭部を有した場合、頭部をナットとして機能させることができ、取り付け金具などの取付孔に、軸部を挿通し、この軸部にナットを締め付けて、このナットと頭部との間で、取り付け金具を挟み込んで固定することができる。
【００２０】
（２）本発明の光ファイバ式光電センサ用ヘッドの他の実施形態では、前記軸部は、外周面に雄ネジが刻設され、前記頭部は、締付け工具に係合する係合部を有している。
【００２１】
係合部は、締付け工具に係合して締付け工具による当該光ファイバ式光電センサの締め付けが可能であればよく、例えば、外形を、六角形などの多角形として係合部としてもよいし、頭部の頂面に、例えば、十字状の溝を形成して係合部としてもよい。
【００２２】
この実施形態によると、頭部には、締付け工具に係合する係合部を有しているので、光ファイバを分離した状態で、前記係合部に、例えば、電動の締付け工具を係合させて、当該光ファイバ式光電センサ用ヘッドを、取り付け金具などに簡単に取り付けできることになり、光ファイバが邪魔になって電動の締付け工具を使用できない従来のファイバヘッドに比べて、取付け工数を削減することができる。また、電動工具を使用することで、下穴加工のみを施した箇所にセルフタッピングによって取り付けることが可能であり、取り付け穴にタップを切る工数を削減できる。
【００２３】
(３)本発明の光ファイバ式光電センサ用ヘッドの一つの実施形態では、前記頭部には、ロックレバーと、該ロックレバーの操作に応じて、前記貫通孔に挿入された前記光ファイバの前記一端を、固定あるいは解除するクランプ部材とを設けている。
【００２４】
この実施形態によると、光ファイバを分離した状態で、当該光ファイバ式光電センサ用ヘッドのみを、取り付け金具などに取り付けた後、ロックレバーを、ロック解除位置に操作して、光ファイバの一端を、貫通孔に挿入し、ロックレバーを、ロック位置に操作することにより、クランプ部材によって、光ファイバの一端が固定されるので、当該光ファイバ式光電センサ用ヘッドに対する光ファイバの着脱が容易となる。
【００２５】
（４）本発明の光ファイバ式光電センサ用ヘッドの他の実施形態では、前記頭部の前記貫通孔は、前記軸部の前記貫通孔よりも大径に形成されるとともに、前記軸部に向かって縮径するテーパ部を有し、前記頭部の前記大径の内周面には、雌ネジが刻設され、前記雌ネジに螺合されるとともに、螺合された状態で、前記貫通孔に連通して前記光ファイバの一端が挿入可能な挿入孔を有するロックネジを備え、前記ロックネジは、前記頭部への螺入に応じて、その先端が、前記テーパ面に当接して、挿入された前記光ファイバの前記一端を押圧固定する。
【００２６】
この実施形態によると、光ファイバを分離した状態で、当該光ファイバ式光電センサ用ヘッドのみを、取り付け金具などに取り付けた後、ロックネジを、緩めた状態で、光ファイバの一端を、ロックネジの挿入孔および貫通孔に挿入し、ロックネッジを締め付けて螺着することにより、ロックネジの先端が、テーパ面に当接して、挿入された光ファイバの一端を押圧固定することができるので、当該光ファイバ式光電センサ用ヘッドに対する光ファイバの着脱が容易となる。
【００２７】
（５）本発明の光ファイバ式光電センサ用ヘッドの更に他の実施形態では、前記頭部の前記貫通孔は、前記軸部の前記貫通孔よりも大径に形成され、前記大径の貫通孔には、挿入された前記光ファイバの一端に係止する係止部材が設けられるとともに、前記係止部材による係止を解除するリリースブッシュが設けられている。
【００２８】
この実施形態によると、光ファイバを分離した状態で、当該光ファイバ式光電センサ用ヘッドのみを、取り付け金具などに取り付けた後、光ファイバの一端を、貫通孔に挿入することにより、係止部材によって係止され、光ファイバを引き出すときには、リリースブッシュを押圧操作して係止を解除することができるので、当該光ファイバ式光電センサ用ヘッドに対する光ファイバの着脱が容易となる。
【発明の効果】
【００２９】
本発明によれば、当該光ファイバ式光電センサ用ヘッドと光ファイバとを分離することができるので、取り付け金具などに取り付ける場合に、光ファイバを分離した状態で、当該光ファイバ式光電センサ用ヘッドのみを先に取り付け、その後、光ファイバの一端を、貫通孔に挿入して取り付けることが可能となる。したがって、光ファイバとヘッドとが一体の従来のファイバヘッドのように、取り付け金具などへの取り付けの際に、光ファイバが邪魔になることがなく、取付け作業が容易となる。
【００３０】
また、当該光ファイバ式光電センサ用ヘッドと光ファイバとを分離することができるので、光ファイバが折れたり、劣化して交換するような場合には、光ファイバのみを交換することが可能となり、光ファイバとヘッドとが一体の従来のファイバヘッドのように、ヘッドを含めて交換する必要がなく、作業が簡単になるとともに、コストを低減することができる。
【発明を実施するための最良の形態】
【００３１】
以下、図面によって本発明の実施の形態について詳細に説明する。
【００３２】
（実施の形態１）
図１は、本発明の実施形態に係るヘッドを備える光ファイバ式光電センサの斜視図である。
【００３３】
この実施形態の光ファイバ式光電センサ１は、透過型であって、投光用のファイバヘッド２ａと、受光用のファイバヘッド２ｂと、各ファイバヘッド２ａ，２ｂからの光ファイバ３ａ，３ｂの各一端がそれぞれ接続されるアンプユニット４とを備えている。
【００３４】
このアンプユニット４は、従来と同様であり、各光ファイバ３ａ，３ｂの接続口を有し、内部には、投光素子と、投光素子を駆動する投光回路と、受光素子と、受光素子からの出力を増幅する増幅回路と、増幅回路の出力に基づいて、入光／遮光の２値の出力信号を出す出力回路などを備えている。
【００３５】
図２は、ファイバヘッドの斜視図であり、この図２では、投光受光用のファイバヘッド２ａ，２ｂの一方を、代表的にファイバヘッド２として示している。
【００３６】
この実施形態では、ファイバヘッド２の取り付け性およびメンテナンス性などを向上させるために、ファイバヘッド２は、本発明に係る光ファイバ式光電センサ用ヘッド（以下、単に「ヘッド」ともいう）５と、上記アンプユニット４に接続された光ファイバ３とを備えており、ヘッド５と光ファイバ３とは、図３に示すように、分離可能である。
【００３７】
この実施形態のヘッド５は、図４の分解斜視図にも示されるように、金属製のヘッド本体６と、ヘッド本体６に組み付けられる樹脂製のクランプ部材７と、ヘッド本体６に、ピン８によって回動操作可能に取り付けられる樹脂製のロックレバー９とを備えている。
【００３８】
ヘッド本体６は、外周面に雄ネジが刻設された小径の軸部６ａと、締付け工具に係合するように、外周が六角形に形成された頭部６ｂとを備えており、頭部６ｂの頂面には、十字状の溝６ｃが形成されている。
【００３９】
このヘッド本体６は、図５の斜視図に示されるように、光ファイバ３を挿入する貫通孔１０が、軸方向に沿って形成されている。
【００４０】
また、ヘッド本体６の頭部６ｂには、挿入された光ファイバ３をクランプするクランプ部材７およびロックレバー９を収納する収納部６ｄが形成されており、図４に示すように、収納部６ｄの底面に形成された係止凹部６ｅに、クランプ部材７の下面の係止突起７ａを係止させて、クランプ部材７を組み付ける。
【００４１】
図６は、ロックレバー９の操作に伴うクランプ部材７のロックおよび解除を説明するための図である。
【００４２】
クランプ部材７は、ヘッド本体６の貫通孔１０に、光ファイバ３を挿入できるように大略Ｃ字状に形成されている。
【００４３】
ロックレバー９は、ヘッド本体６に取り付けるためのピン８が挿通するピン穴９ａを有し、外形は、ヘッド本体６の頭部６ｂに収納したときに、六角形に沿うように形成されている。また、内面には、図６に示すように、クランプ部材７の遊端７ｂを押圧して、光ファイバ３を固定するための押圧部９ｂが形成され、また、ロックレバー９の先端部には、図６に示すように、ヘッド本体６の収納部６ｄの係止凹部６ｆに、係止する係止爪９ｃが形成されている。
【００４４】
この実施形態のヘッド５では、図５（ｂ）の斜視図に示されるように、ロックレバー９を、ヘッド本体６の頭部６ｂから引き起こすことによって、図６（ｂ）に示すようにクランプ部材７の遊端７ｂが開放されて、ヘッド本体６の貫通孔１０に、光ファイバ３の先端を挿入することが可能となる。
【００４５】
光ファイバ３の先端を、ヘッド本体６の貫通孔１０に挿入し、ロックレバー９を倒して頭部６ｂに収納することにより、ロックレバー９の押圧部９ｂが、図６（ａ）に示すようにクランプ部材７の遊端７ｂを押圧し、Ｃ字状のクランプ部材７が、光ファイバ３の外周を挟んで固定される。
【００４６】
このように光ファイバ３とヘッド５とが分離可能であるので、ファイバヘッド２の取り付けは、次のようにして行うことが可能である。
【００４７】
すなわち、図７（ａ）に示すように、例えば、ヘッド本体６の軸部６ａの径よりも若干小さな取付孔１１が形成された取り付け金具１２に対して、電動工具等を用いてヘッド５を取り付ける。この取付孔１１は、電動工具でヘッド５を取り付ける際に、ヘッド本体６の軸部６ａの雄ネジ部分がねじ込まれる程度の大きさを有している。
【００４８】
次に、図７（ｂ）に示すように、ヘッド５のロックレバー９を、矢符で示すように引き起こして、光ファイバ３を、矢符で示されるように奥まで差込み、図７（ｃ）に示すように、ロックレバー９を、矢符で示されるように倒して、光ファイバ３をロックして取り付け作業が終了する。
【００４９】
このように、ヘッド５と光ファイバ３とを分離できるので、図２８の従来例のように、光ファイバ３が邪魔になることがなく、電動工具等を用いて、ヘッド５を取り付け金具１２に簡単に取り付けることができ、また、ヘッド５への光ファイバ３の取り付けもロックレバー９の操作によって簡単に取り付けることができる。
【００５０】
また、取り付け金具１２の検出領域側に、ナットを設ける必要がなく、取り付け金具１２の検出領域側に、手を入れてナットを締め付けることができないような場合にも、ファイバヘッド２を容易に取り付けることができる。
【００５１】
なお、取り付け金具１２の取付孔１１の径が、ヘッド本体６の軸部６ａの径よりも大きい場合には、ヘッド本体６の軸部６ａを、取付孔１１に挿通し、挿通した軸部６ａにナットを取り付け、このナットを締め付けることによって、ナットとヘッド本体６の頭部６ｂとで、取り付け金具１２を挟み込んで固定すればよい。
【００５２】
（実施の形態２）
図８は、本発明の他の実施形態のヘッドを備えるファイバヘッドの斜視図である。
【００５３】
この実施形態のファイバヘッド１３は、本発明に係るヘッド１４と、光ファイバ３とを備えており、ヘッド１４と光ファイバ３とは、図９に示すように、分離可能である。
【００５４】
この実施形態のヘッド１４は、金属製のヘッド本体１５と、樹脂製のロックネジ１６とからなる。
【００５５】
ヘッド本体１５は、外周面に雄ネジが刻設された小径の軸部１５ａと、締付け工具に係合できるように、外周が六角形に形成された頭部１５ｂとを備えている。
【００５６】
図１０は、ヘッド１４の分解斜視図であり、図１１は、光ファイバ３を挿入した状態の断面図である。
【００５７】
このヘッド本体１５の軸部１５ａの内部には、光ファイバ３を挿入する貫通孔１７が、軸方向に沿って貫通形成されており、頭部１５ｂの貫通孔１８は、軸部１５ａの貫通孔１７よりも大径に形成されるとともに、頭部１５ｂ側の端部の内周面には、ロックネジ１６が螺合する雌ネジ１９が形成される。この大径の貫通孔１８は、軸部１５ａへ向かって縮径されたテーパ面を有しており、ロックネジ１６の螺入に伴って、ロックネジ１６の先端が、テーパ面に押圧されるように構成されている。
【００５８】
ロックネジ１６は、図１０に示すように、先端が分割された４つの脚部１６ａと、ヘッド本体１５の内周面の雌ネジ１９に螺合する雄ネジ２０が刻設された小径の軸部１６ｂと、外周が六角形に形成された頭部１６ｃとを備えており、この頭部１６ｃは、ヘッド本体１５の頭部１５ｂよりも小さくなっている。
【００５９】
このロックネジ１６の内部には、図１１に示すように、光ファイバ３を挿入する挿入孔２１が、軸方向に沿って形成されている。
【００６０】
４つの脚部１６ａは、挿入孔２１に沿って延びており、ロックネジ１６を、ヘッド本体１５に対して緩めている状態では、図１１（ａ）に示すようにヘッド１４に光ファイバ３を挿入することが可能である。光ファイバ３を挿入した状態で、ロックネジ１６を締め付けて螺着すると、４つの脚部１６ａが、ヘッド本体１５の挿入孔１８のテーバ状の内面に当接して径方向内方に押圧され、図１１（ｂ）に示すように光ファイバ３の外周を締め付けて固定する。
【００６１】
この実施形態のヘッド１４では、次のようにして取り付け金具に、ファイバヘッド１３を取り付けることができる。
【００６２】
すなわち、図１２（ａ）に示すように、例えば、ヘッド本体１５の軸部１５ａの径よりも若干小さな取付孔１１が形成された取り付け金具１２に対して、電動工具等を用いてヘッド１４を取り付ける。この取付孔１１は、電動工具でヘッド１４を取り付ける際に、ヘッド本体１５の軸部１５ａの雄ネジ部分がねじ込まれる程度の大きさを有している。
【００６３】
次に、図１２（ｂ）に示すように、ヘッド本体１５に対して、ロックネジ１６を緩めている状態において、光ファイバ３を奥まで差込み、図１２（ｃ）に示すように、ロックネジ１６を、スパナ等の工具を用いて締め付けることにより、光ファイバ３をロックして取り付け作業が終了する。
【００６４】
このように、ヘッドと光ファイバとを分離できるので、従来例のように、光ファイバが邪魔になることがなく、電動工具等を用いて、ヘッド１４を取り付け金具１２に簡単に取り付けることができる。
【００６５】
また、取り付け金具１２の検出領域側に、ナットを設ける必要がなく、取り付け金具１２の検出領域側に、手を入れてナットを締め付けることができないような場合にも、ファイバヘッドを容易に取り付けることができる。
【００６６】
なお、取り付け金具１２の取付孔１１の径が、ヘッド本体１５の軸部１５ａの径よりも大きい場合には、上述の実施の形態１と同様にして取り付けることができる。
【００６７】
（実施の形態３）
図１３は、本発明の他の実施形態のヘッドを備えるファイバヘッドの斜視図である。
【００６８】
この実施形態のファイバヘッド２２は、本発明に係るヘッド２３と、光ファイバ３とからなり、ヘッド２３と光ファイバ３とは、図１４に示すように、分離可能である。
【００６９】
この実施形態のヘッド２３は、図１５の斜視図にも示されるように金属製のヘッド本体２４と、樹脂製のリリースブッシュ２５とを備えている。
【００７０】
ヘッド本体２４は、外周面に雄ネジが刻設された小径の軸部２４ａと、締付け工具に係合するように、外周が六角形に形成された頭部２４ｂとを備えている。
【００７１】
図１６は、光ファイバ３を挿入した状態のヘッド２３の概略断面図であり、ヘッド本体２４の軸部２４ａおよび頭部２４ｂには、貫通孔２８ａ，２８ｂが形成されており、頭部２４ｂの貫通孔２８ｂは、軸部２４ａの貫通孔２８ａよりも大径に形成されている。軸部２４ａの貫通孔２８ａは、光ファイバ３の先端部の径よりも小径に形成されている。
【００７２】
ヘッド本体２４の大径の貫通孔２８ｂには、ガイド部材２６が挿入されており、このガイド部材２６の内部には、係止部材２７が摺動自在に配設されている。係止部材２７の内部には、リリースブッシュ２５が挿入され、該リリースブッシュ２５の孔部に光ファイバ３が挿入される。
【００７３】
光ファイバ３の挿入時には、光ファイバ３の先端部は、係止部材２７の先端の係止部２７ｂを押圧、拡開して進入する。
【００７４】
挿入された光ファイバ３の先端部は、軸部２４ａの貫通孔２８ａの径との接点面にて当接され位置決めされる。
【００７５】
光ファイバ３を引き抜こうとすると、係止部材２７は光ファイバ３の移動に伴って変位し、ガイド部材２６の先端部２６ａが係止部材２７に形成された膨出部２７ａを押圧し、係止部材２７の先端の係止部２７ｂが半径方向内方に変位し、光ファイバ３の外周に押圧してロックする。
【００７６】
光ファイバ３を引き抜くときは、先ず、リリースブッシュ２５を押圧する。これによって、係止部材２７の係止部２７ｂはリリースブッシュ２５の先端部２５ａに押圧されて半径方向外方に変位し、ロックが解除されて光ファイバ３を、引き抜くことができる。
【００７７】
この実施形態のヘッド２３では、次のようにして取り付け金具に、ファイバヘッドを取り付けることができる。
【００７８】
すなわち、図１７（ａ）に示すように、例えば、ヘッド本体２４の軸部２４ａの径よりも若干小さな取付孔１１が形成された取り付け金具１２に対して、電動工具等を用いてヘッド２３を取り付ける。この取付孔１１は、電動工具でヘッド２３を取り付ける際に、ヘッド本体２４の軸部２４ａの雄ネジ部分がねじ込まれる程度の大きさを有している。
【００７９】
次に、図１７（ｂ）に示すように、ヘッド２３に、光ファイバ３を奥まで差込むことにより、図１７（ｃ）に示すように、光ファイバ３の取り付け作業が終了する。
【００８０】
このように、ヘッドと光ファイバとを分離できるので、従来例のように、光ファイバが邪魔になることがなく、電動工具等を用いて、ヘッドを取り付け金具１２に簡単に取り付けることができ、また、ヘッド２３への光ファイバ３の取り付けも光ファイバ３を挿入するだけでよく、ワンタッチで取り付けることが可能である。
【００８１】
また、取り付け金具１２の検出領域側に、ナットを設ける必要がなく、取り付け金具１２の検出領域側に、手を入れてナットを締め付けることができないような場合にも、ファイバヘッド２２を容易に取り付けることができる。
【００８２】
なお、取り付け金具１２の取付孔１１の径が、ヘッド本体２４の軸部２４ａの径よりも大きい場合には、上述の実施の形態１と同様にして取り付けることができる。
【００８３】
（その他の形態１）
上述の各実施形態では、ファイバヘッドのヘッドと光ファイバとを分離可能に構成したけれども、ヘッドと光ファイバとが一体の従来のファイバヘッドを、容易に取り付けできるように、ファイバヘッド用取付具を用いるようにしてもよい。
【００８４】
図１８は、ヘッド４１と光ファイバ３とが一体の従来のファイバヘッド４０を、ファイバヘッド用取付具２９に取り付けた状態を示す斜視図であり、図１９は、取り付け前の状態を示す分解斜視図である。
【００８５】
このファイバヘッド用取付具２９は、樹脂製の本体３０と、該本体３０に装着される金属製の取付バネ３１とを備えており、本体３０は、上下二つに分割された第１，第２の分割体３２，３２から構成される。
【００８６】
本体３０は、大径の鍔部３０ａを有する円筒状であって、各分割体３２，３２は、ファイバヘッド４０の取付孔となる半円状の溝３３，３３が軸方向に沿ってそれぞれ形成されており、各溝３３，３３には、雌ネジがそれぞれ刻設されている。また、各分割体３２，３２の分割端面には、互いに連結するための一対の係止突起３４，３４および一対の係止孔３５，３５がそれぞれ形成されている。更に、各分割体３２，３２の外周面には、取付バネ３１の円弧状の係止部３１ａが嵌入される嵌入溝３６，３６がそれぞれ形成されるとともに、取付バネ３１の一対の屈曲したバネ部３１ｂ，３１ｂに応じた凹部３７，３７が軸方向に沿ってそれぞれ形成される。
【００８７】
取付バネ３１は、本体３０の外周に沿うように円弧状に形成された上述の係止部３１ａと、この係止部３１ａの二箇所から対向するように延出された一対の屈曲したバネ部３１ｂ，３１ｂとを備えている。
【００８８】
このファイバヘッド用取付具２９へのファイバヘッドの取り付けは、図１９に示すように、本体３０から取付バネ３１を取り外し、本体３０を、各分割体３２，３２に分割した状態で、ファイバヘッド４０のヘッド部４１を、分割体の溝３３，３３に位置させて両分割体３２，３２で挟み込み、図２０に示すように、取付バネ３１の係止部３１ａを、本体３０の嵌入溝３６に嵌入装着することにより行う。
【００８９】
なお、予め、本体３０に取付バネ３１を装着した状態で、ファイバヘッド４０を、本体３０の取付孔にねじ込むようにして取り付けてもよい。
【００９０】
このようにファイバヘッド４０をファイバヘッド用取付具２９に取り付けた状態で、図２１（ａ）に示すように、予め取付孔１１が形成された取り付け金具１２の前記取付孔１１に、差し込む。これによって、取付孔１１に挿入される際に弾性変形したバネ部３１ｂが、復帰して取り付け金具１２に係合し、取り付け金具１２が、ファイバヘッド用取付具２９のばね部３１ｂと大径の鍔部３０ａとの間に挟まれて抜け止め係止される。
【００９１】
また、取り付け金具１２から外す際には、ファイバヘッド用取付具２９のばね部３１ｂを、ペンチなどで挟んで弾性変形させた状態で取付孔１１から引き出すことにより、簡単に外すことができる。
【００９２】
（その他の形態２）
図２２は、ファイバヘッド用取付具の他の例を示す斜視図であり、図２３は、ファイバヘッドの取り付け前の状態を示す斜視図である。
【００９３】
このファイバヘッド用取付具４５は、図２４に示すように、底面にマグネット４６が埋め込まれた固定部４７と、ファイバヘッド４０を保持する保持部４８とを有しており、例えば、アルミからなる。
【００９４】
固定部４７には、底面に連なる斜面４９が形成されている。
【００９５】
保持部４８には、ファイバヘッド４０がねじ込まれるネジ孔５０が貫通形成されている。また、保持部４８の上面から貫通孔５０に至るネジ孔５３が形成されており、必要に応じて、貫通孔５０に挿入されたファイバヘッド４０を、ネジ孔５０に取り付けたビスによって固定できるようにしている。
【００９６】
このファイバヘッド用取付具４５は、図２３に示すように、ファイバヘッド４０を、保持部４８のネジ孔５０にねじ込んで取り付け、この状態で、図２５に示すように、固定部４７のマグネット４６の磁力によって、取り付け金具１２に取り付ける。
【００９７】
このファイバヘッド用取付具４５を、取り付け金具１２から外す場合には、前記斜面４９の上部を押圧することにより、前部が傾斜してマグネット４６の接地面積が減り、容易に外すことが可能となる。
【００９８】
また、マグネット４６の磁力に加えて、より強固に固定するために、固定部４７の後部側には、取付孔５１が形成されており、この取付孔５１を利用して、図２６に示されるようにビス５２で固定することもでき、あるいは、接着剤によって固定することもできる。
【産業上の利用可能性】
【００９９】
本発明は、光ファイバ式光電センサに有用である。
【図面の簡単な説明】
【０１００】
【図１】本発明の実施形態に係るヘッドを備える光ファイバ式光電センサの斜視図である。
【図２】図１のファイバヘッドの斜視図である。
【図３】図１の光ファイバとヘッドとを分離した状態の斜視図である。
【図４】図１のヘッドの分解斜視図である。
【図５】ヘッドの斜視図である。
【図６】ロックレバーの操作に伴うクランプ部材のロックおよび解除を説明するための図である。
【図７】取り付け金具へのファイバヘッドの取り付け手順を示す斜視図である。
【図８】本発明の他の実施形態に係るヘッドを備えるファイバヘッドの斜視図である。
【図９】図８の光ファイバとヘッドとを分離した状態の斜視図である。
【図１０】図８のヘッドの分解斜視図である。
【図１１】光ファイバを挿入した状態のヘッドの断面図である。
【図１２】取り付け金具へのファイバヘッドの取り付け手順を示す斜視図である。
【図１３】本発明の更に他の実施形態に係るヘッドを備えるファイバヘッドの斜視図である。
【図１４】図１３の光ファイバとヘッドとを分離した状態の斜視図である。
【図１５】ヘッドの斜視図である。
【図１６】光ファイバを挿入した状態のヘッドの断面図である。
【図１７】取り付け金具へのファイバヘッドの取り付け手順を示す斜視図である。
【図１８】従来のファイバヘッドを、ファイバヘッド用取付具に取り付けた状態を示す斜視図である。
【図１９】図１８の分解斜視図である。
【図２０】ファイバヘッド用取付具へのファイバヘッドの取り付け手順を示す斜視図である。
【図２１】取り付け金具への取り付け手順を示す斜視図である。
【図２２】他のファイバヘッド用取付具を示す斜視図である。
【図２３】図２２のファイバヘッドの取り付け前の状態を示す斜視図である。
【図２４】ファイバヘッド用取付具を底面側から見た斜視図である。
【図２５】ファイバヘッド用取付具を用いてファイバヘッドを取り付けた状態を示す側面図である。
【図２６】他の取り付け状態を示す斜視図である。
【図２７】従来のファイバヘッドの側面図である。
【図２８】従来のファイバヘッドの取り付け手順を示す図である。
【図２９】従来の他のファイバヘッドの取り付け状態を示す図である。
【図３０】従来のファイバヘッドの発注を説明するための図である。
【符号の説明】
【０１０１】
１                          光ファイバ式光電センサ
３                          光ファイバ
５，１４，２３              光ファイバ式光電センサ用ヘッド
６ａ，１５ａ，２４ａ        軸部
６ｂ，１５ｂ，２４ｂ        頭部
７                          クランプ部材
９                          ロックレバー
１６                        ロックネジ
２５                        リリースブッシュ
【図１】
2009129612.tif 000003
【図２】
2009129612.tif 000004
【図３】
2009129612.tif 000005
【図４】
2009129612.tif 000006
【図５】
2009129612.tif 000007
【図６】
2009129612.tif 000008
【図７】
2009129612.tif 000009
【図８】
2009129612.tif 000010
【図９】
2009129612.tif 000011
【図１０】
2009129612.tif 000012
【図１１】
2009129612.tif 000013
【図１２】
2009129612.tif 000014
【図１３】
2009129612.tif 000015
【図１４】
2009129612.tif 000016
【図１５】
2009129612.tif 000017
【図１６】
2009129612.tif 000018
【図１７】
2009129612.tif 000019
【図１８】
2009129612.tif 000020
【図１９】
2009129612.tif 000021
【図２０】
2009129612.tif 000022
【図２１】
2009129612.tif 000023
【図２２】
2009129612.tif 000024
【図２３】
2009129612.tif 000025
【図２４】
2009129612.tif 000026
【図２５】
2009129612.tif 000027
【図２６】
2009129612.tif 000028
【図２７】
2009129612.tif 000029
【図２８】
2009129612.tif 000030
【図２９】
2009129612.tif 000031
【図３０】
2009129612.tif 000032